(57)【要約】【課題】電源端子台に塵埃や水気が浸入するのを抑制し、安全性の高い電源ユニット及びこの電源ユニットを用いた照明装置を提供することを目的とする。【解決手段】本発明は、ケース本体１２と、このケース本体に１２延設され、上下に貫通する端子台取着用手段１２ａが形成された端子台取付部１２ｂと、ケース本体１２に取付けられた電源回路１１と、端子台取付部１２ｂの下面側に前記端子台取着用手段１２ａを介して取付けられた電源端子台１４と、前記電源回路１１及び端子台取着用手段１２ａを覆うようにケース本体１２に取付けられたカバー部材１３とを具備する電源ユニット１０である。【選択図】図４
2010257590.tif 000002
【特許請求の範囲】
【請求項１】
ケース本体と；
このケース本体に延設され、上下に貫通する端子台取着用手段が形成された端子台取付部と；
ケース本体に取付けられた電源回路と；
端子台取付部の下面側に前記端子台取着用手段を介して取付けられた電源端子台と；
前記電源回路及び端子台取着用手段を覆うようにケース本体に取付けられたカバー部材と；
を具備することを特徴とする電源ユニット。
【請求項２】
前記端子台取着用手段は、複数種類の電源端子台が取付けることができるように、複数形成されていることを特徴とする請求項１に記載の電源ユニット。
【請求項３】
前記ケース本体には、設置用の台座が設けられていることを特徴とする請求項１又は請求項２に記載の電源ユニット。
【請求項４】
光源を有する照明器具本体と；
この照明器具本体に接続された請求項１乃至請求項３のいずれか一に記載の光源ユニットと；
を具備することを特徴とする照明装置。
【発明の詳細な説明】
【技術分野】
【０００１】
本発明は、天井等に埋め込んで使用する照明器具に電力を供給するのに適する電源ユニット及びこの電源ユニットを用いた照明装置に関する。
【背景技術】
【０００２】
従来、例えば、天井等に埋め込んで使用される照明器具においては、その光源に電力を供給するため、電源ユニットが接続されている。そして、この電源ユニットには、商用電源の電源線が接続される電源端子台が設けられている（例えば、特許文献１参照）。
【先行技術文献】
【特許文献】
【０００３】
【特許文献１】特開２００５−３４６９５３号公報
【発明の概要】
【発明が解決しようとする課題】
【０００４】
しかしながら、従来の電源ユニットでは、電源端子台が外面に露出状態となっており、端子台に塵埃や水気が浸入し、短絡状態になり、また、接触不良等が生じると、これらに起因して端子台が過熱されて高温になり、特に、端子台が合成樹脂等で形成されている場合には、溶解又は発火し、火災に至る可能性がある。
【０００５】
本発明は、上記課題に鑑みなされたもので、電源端子台に塵埃や水気が浸入するのを抑制し、安全性の高い電源ユニット及びこの電源ユニットを用いた照明装置を提供することを目的とする。
【課題を解決するための手段】
【０００６】
請求項１に記載の電源ユニットは、ケース本体と；このケース本体に延設され、上下に貫通する端子台取着用手段が形成された端子台取付部と；ケース本体に取付けられた電源回路と；端子台取付部材の下面側に前記端子台取着用手段を介して取付けられた電源端子台と；前記電源回路及び端子台取着用手段を覆うようにケース本体に取付けられたカバー部材と；を具備することを特徴とする。
【０００７】
本発明及び以下の発明において、特に指定しない限り用語の定義及び技術的意味は次による。端子台取着用手段には、例えば、ねじ等の固定手段が貫通する貫通孔、スリット、切欠き等と指称されるものが含まれる。電源ユニットは、照明装置等、各種電気機器に適用可能である。
【０００８】
請求項２に記載の電源ユニットは、請求項１に記載の電源ユニットにおいて、前記端子台取着用手段は、複数種類の電源端子台が取付けることができるように、複数形成されていることを特徴とする。
【０００９】
請求項３に記載の電源ユニットは、請求項１又は請求項２に記載の電源ユニットにおいて、前記ケース本体には、設置用の台座が設けられていることを特徴とする。
【００１０】
請求項４に記載の照明装置は、光源を有する照明器具本体と；この照明器具本体に接続された請求項１乃至請求項３のいずれか一に記載の光源ユニットと；を具備することを特徴とする。光源としては、ＬＥＤ、白熱電球、蛍光ランプ、高輝度放電ランプ等の適用が可能であり、光源の種類は格別限定されるものではない。
【発明の効果】
【００１１】
請求項１に記載の発明によれば、電源端子台に塵埃や水気が浸入するのを抑制し、安全性が高く、構成、組立て作業の簡素化を図ることが可能な電源ユニットを提供できる。
【００１２】
請求項２に記載の発明によれば、請求項１に記載の発明の効果に加え、異なる種類の電源端子台を取付けることができ、構成部品の共通化を図ることができる。
【００１３】
請求項３に記載の発明によれば、請求項１又は請求項２に記載の発明の効果に加え、安定して適正な姿勢で設置することが可能となり、安全性をさらに向上することができる。
【００１４】
請求項４に記載の発明によれば、各請求項に記載の効果を奏する照明装置を提供することができる。
【図面の簡単な説明】
【００１５】
【図１】本発明の第１の実施形態に係る照明器具を示す斜視図である。
【図２】同照明装置を示す正面図である。
【図３】同電源ユニットを示す斜視図である。
【図４】同電源ユニットを分解して示す斜視図である。
【図５】同電源ユニットを示す上面図である。
【図６】同電源ユニットを示す正面図、左側面図及び右側面図である。
【図７】同電源ユニットを示す底面図である。
【図８】同電源ユニットのカバー部材を取外して示す上面図である。
【図９】同照明装置の接続状態を示す結線図である。
【図１０】本発明の第２の実施形態に係る照明装置を示す平面図である。
【図１１】本発明の第３の実施形態に係る照明装置を示す平面図である。
【図１２】本発明の第４の実施形態に係る照明装置を示す平面図である。
【発明を実施するための形態】
【００１６】
以下、本発明の第１の実施形態に係る電源ユニット及び照明装置について図１乃至図９を参照して説明する。図１は、照明器具として天井埋込形のダウンライト本体１を示す斜視図である。ダウンライト本体１は、熱伝導性の筒状本体２と、この筒状本体２に取付けられた化粧枠３と、筒状本体２の内側に取付けられ、光源である発光素子としてのＬＥＤ４が実装された基板５と、反射体６及び反射体６の前方に配設された透光性カバー７とを備えている。また、筒状本体２の上部外面には、受電コネクタ８が配置されており、化粧枠３には、一対の取付け用板ばね９が装着されている。
【００１７】
筒状本体２は、アルミダイカスト製の熱伝導良好な材料で形成されており、その外面が白色のメラミン樹脂系塗料によって焼付塗装されている。なお、勿論、熱伝導性を担保できれば、他の材料で形成してもよい。また、筒状本体２の外面には、縦方向に延びる複数の放熱フィン２ａが形成されている。
【００１８】
化粧枠３は、ＡＢＳ樹脂で略傘状に形成され、末広がり状の開口端部には、環状のフランジ３ａが形成されており、他端部側は、筒状本体２に取付けられている。
【００１９】
基板５の表面側には、光源となるＬＥＤ４が表面実装方式で複数個実装されている。基板５は、ガラスエポキシ樹脂の略円形の平板からなり、筒状本体２と熱的に結合されるようになっている。なお、基板５の材料は、絶縁材とする場合には、放熱特性が比較的良好で、耐久性に優れたセラミック材料又は合成樹脂材料を適用できる。また、金属製とする場合は、アルミニウム等の熱伝導性が良好で放熱性に優れた材料を適用するのが好ましい。
【００２０】
続いて、基板５の表面側には、白色のポリカーボネートやＡＳＡ樹脂等によって形成された反射体６が配設されている。反射体６は、ＬＥＤ４から放射される光をＬＥＤ４ごとに個別に配光制御し、効率的に照射する機能をなしている。受電コネクタ８は、基板５に設けられた端子を介してＬＥＤ４と電気的に接続されており、筒状本体２の外周方向に突出して設けられている。
【００２１】
次に、図２においては、照明器具としてのダウンライト本体１と電源ユニット１０とが天井面へ設置されて接続された状態が示されている。本実施形態においては、このダウンライト本体１と電源ユニット１０とが接続されることによって照明装置が構成される。
【００２２】
電源ユニット１０は、ダウンライト本体１の光源に電力を供給し、その点灯回路によって光源を点灯制御するもので、商用電源を受けて所定の直流電圧を出力する直流電源の機能を有している。この電源ユニット１０は、概略船形の形状をなし、電源回路１１が取付けられたケース本体１２、このケース本体を覆うカバー部材１３、商用電源の電源線ＰＷ（アース線を含む。）と接続される電源端子台１４、ダウンライト本体１の受電コネクタ８と接続される給電コネクタ１５を有する口出し線１６を備えている。
【００２３】
このような照明装置の設置にあたっては、まず、天井Ｃ裏に配線されている電源線ＰＷを天井Ｃに形成された埋込穴Ｈから引き出し、電源ユニット１０の電源端子台１４に接続し、続いて、給電コネクタ１５をダウンライト本体１の受電コネクタ８に接続する。次いで、電源ユニット１０を埋込穴Ｈから挿入し、天井Ｃ裏に配置する。次に、ダウンライト本体１の一対の取付け用板ばね９を両手で弾性力に抗して押し窄めるように操作して、ダウンライト本体１を支えながら埋込穴Ｈから挿入する。ダウンライト本体１が埋込穴Ｈに挿入されるに伴い、手を離しダウンライト本体１を押し上げる。これにより、取付け用板ばね９が外側方向に復帰して天井Ｃ裏面に当接し、この弾性力によってダウンライト本体１が上方に引き上げられて、化粧枠３のフランジ３ａが埋込穴Ｈの周縁に圧接され、ダウンライト本体１が天井Ｃ面に設置される。
【００２４】
次に、電源ユニット１０について図３乃至図８を参照して詳細に説明する。ケース本体１２は、板金を折曲して概略直方体形状に形成されており、両側に側壁を有する電源回路取付部１２ａと、この電源回路取付部１２ａから一段立ち上がって長方形平坦板にて延設するように形成された端子台取付部１２ｂとから構成されている。また、電源回路取付部１２ａの端部側及び端子台取付部１２ｂの両側には、下方にＬ字状に折曲して延出する設置用の支持脚１２ｃが形成されている。
【００２５】
電源回路取付部１２ａには、絶縁紙１１ｃを介して電源回路１１が取付けられている（図４参照）。この電源回路１１は、回路基板１１ａと、この回路基板１１ａに実装された制御用ＩＣ、トランス、コンデンサ、抵抗素子等の電気部品１１ｂとから構成されている。そして、回路基板１１ａからは、電源接続線及びアース接続線からなる口出し線１６が導出されており、その先端部には給電コネクタ１５が接続されている。なお、電源接続線及びアース接続線は、柔軟性を有する絶縁性チューブで一束に被覆されている。
【００２６】
端子台取付部１２ｂの下面側には、合成樹脂によって成形された略箱状の電源端子台１４及び調光信号線接続用の端子台１７が取付けられるようになっている。なお、調光信号線の接続関係の説明は省略する。図４及び図８（図示上、電源回路１１の電気部品１１ｂは省略している。）に代表して示すように、電源端子台１４は、電源線挿入用の複数の接続端子を有し、端子台取付部１２ｂの下面側に配設され、端子台取付部１２ｂの上面側からねじ２０等の固定手段によって固定されている。具体的には、端子台取付部１２ｂには、上下に貫通する端子台取着用手段としてのねじ貫通孔２１ａが形成されており、このねじ貫通孔２１ａを通過して電源端子台１４にねじ込まれるねじ２０によって電源端子台１４は締付け固定されている。加えて、電源端子台１４の上面には、円筒状の係止ボス１４ａが形成されており、一方、端子台取付部１２ｂには、この係止ボス１４ａが上面側に突出可能なように端子台取着用手段としての貫通孔２１ｂが形成されており、係止ボス１４ａが貫通孔２１ｂに係合することによって、電源端子台１４の動きが防止できるようになっている。
【００２７】
さらに、端子台取付部１２ｂには、上下に貫通する端子台取着用手段としてのねじ貫通孔２１ｃ、２１ｄや電源端子台に形成された係止ボス等が係合するスリット状の貫通孔２１ｅが形成されている。これら貫通孔２１ｃ、２１ｄ及び２１ｅは、本実施形態に示す電源端子台１４とは異なる種類の電源端子台を取付ける場合に用いられる端子台取着用手段である。つまり、例えば、海外用の電源端子台は、日本国内用の電源端子台とは、その形態が異なり、ねじ等の固定手段が配設される位置も異なる。したがって、海外用と日本国内用との電源ユニット１０の構成部品を共通化し、海外用の電源端子台の取付けに適合させるため、貫通孔２１ｃ、２１ｄ及び２１ｅは形成されているものである。そのため、貫通孔２１ｃ、２１ｄ及び２１ｅは、本実施形態に示す電源端子台１４の取付けには、使用されず、貫通孔としてそのまま存置されるものである。
【００２８】
続いて、同様に、調光信号線接続用の端子台１７は、貫通孔２２ａを貫通するねじ２２によって締付け固定されている。さらに、電源ユニット１０の構成部品を共通化し、海外用の調光信号線接続用の端子台の取付けに適合させるため、貫通孔２２ｂ及び２２ｃが形成されており、貫通孔としてそのまま存置されている。
【００２９】
次に、カバー部材１３は、ケース本体１２と同様に板金を折曲して形成されており、側壁を有する第１のカバー部１３ａと、この第１のカバー部１３ａに連接された階段状の第２のカバー部１３ｂを備えており、ケース本体１２にねじ等によって取付けられている。第１のカバー部１３ａは、電源回路１１を覆い、第２のカバー部１３ｂは、端子台取着用手段としての貫通孔２１ａ、２１ｂ、２１ｃ、２１ｄ、２１ｅ及び調光信号線接続用の端子台１７を取付けるための貫通孔２２ａ、２２ｂ、２２ｃを覆うようになっている。
【００３０】
ここで、第２のカバー部１３ｂは、下段部ｄｗと上段部ｕｐとから構成されており、上段部ｕｐの内側には、その高さ寸法分のスペースが形成されている。このスペースによって、カバー部材１３をケース本体１２に取付けた際に、ねじ２０等の固定手段の頭部がカバー部材１３の内面側に衝突せずに、その頭部の突出高さを吸収できるようになっている。したがって、下段部ｄｗを端子台取付部１２ｂの上面に密着するように取付けることが可能となる。
【００３１】
次に、図９は、電源ユニット１０に複数の照明器具を接続した例を示している。電源ユニット１０から導出された口出し線１６の給電コネクタ１５を照明器具の受電コネクタ８に接続する。次に、照明器具から導出された口出し線１６ａの給電コネクタ１５ａを次段の照明器具の受電コネクタ８ａに接続する。このように順次接続することにより照明器具に商用電源が接続され電力が供給されるようになる。
【００３２】
以上のように構成された本実施形態の作用を説明する。電源ユニット１０に商用電源から通電されると、点灯回路が動作して基板５に電力が供給され、光源としてのＬＥＤ４が発光する。各ＬＥＤ４から出射された光の多くは直接透光性カバー７を透過して前方に照射され、一部の光は反射体６の各反射面に反射されて配光制御され透光性カバー７を透過して前方に照射される。一方、これに伴いＬＥＤ４から発生する熱は、主として基板５から筒状本体２へ伝わり、さらに、外周の筒状本体２の全体へ伝導され、その伝導過程での放熱を伴いながら放熱される。
【００３３】
次に、照明装置が設置される天井裏は、塵埃が堆積しやすく、また、湿度が高く水滴等の水気が生じやすい環境下にある。しかしながら、本実施形態の電源ユニット１０では、電源端子台１４及び調光信号線接続用の端子台１７は、端子台取付部１２ｂの下面側に取付けられるようになっているので、電源端子台１４及び調光信号線接続用の端子台１７は、端子台取付部１２ｂによって覆われ、塵埃等の侵入を抑制することができる。
【００３４】
さらに、端子台取付部１２ｂには、端子台取付部１２ｂの上下を貫通する端子台取着用手段としての貫通孔２１ａ、２１ｂ、２１ｃ、２１ｄ、２１ｅが形成されているので、ねじ２０を伝わって、又は貫通孔２１ｃ等から直接塵埃や水気が浸入する可能性があるが、これら貫通孔２１ａ等は、第２のカバー部１３ｂによって覆われているので、これら貫通孔２１ａ等から塵埃や水気が浸入するのを抑制することができる。特に、ねじ等が挿通されないで貫通孔としてそのまま存置される貫通孔２１ｃ等は、水気等が浸入しやすいが、これを有効に抑制することができる。これらの作用は、調光信号線接続用の端子台１７を取付けるための貫通孔２２ａ等についても同様である。
【００３５】
また、カバー部材１３は、電源回路１１を覆うとともに、端子台取着用手段としての貫通孔２１ａ等を覆うようになっているので、カバー部材１３をケース本体１２に取付けると同時に、電源回路１１及び端子台取着用手段の双方を覆うことができ、構成、組立て作業の簡素化を達成できる。
【００３６】
以上のように本実施形態によれば、電源端子台１４及び調光信号線接続用の端子台１７に塵埃や水気が浸入するのを抑制し、安全性の高い電源ユニット１０及び照明装置を提供することができる。また、カバー部材１３は、電源回路１１を覆うとともに、端子台取着用手段としての貫通孔２１ａ等を覆うようになっているので、構成、組立て作業の簡素化が可能となる。しかも、異なる種類の電源端子台を取付けることが可能で、電源ユニット１０の構成部品の共通化を図ることができる。
【００３７】
なお、本発明は、上記実施形態の構成に限定されるものではない。例えば、調光信号線を接続しない電源ユニットにあっては、調光信号線接続用の端子台は設ける必要はない。また、上下に貫通する端子台取着用手段は、貫通孔に限らず、切欠き等であってもよく、その形態が格別限定されるものではない。さらに、異なる種類の電源端子台は、日本国内用と海外用に限るものではない。日本国内用であって、形態の異なる電源端子台を適用できるようにしてもよい。
【００３８】
さらにまた、異なる種類の電源端子台を適用できるようにするため、端子台取着用手段を複数形成するものに限定されるものではない。例えば、単一種類の電源端子台を適用するため、端子台取着用手段を１個形成し、この端子台取着用手段を介して電源端子台を取付ける構成のものであってもよい。この場合も、１個の端子台取着用手段は、電源回路とともにカバー部材によって覆われ、安全性を確保することができ、かつ、構成、組立て作業の簡素化を図ることができる。また、電源端子台の電源線挿入用の接続端子の部分や端子台取着用手段にシール材等を塗布することにより、一層塵埃や水気の浸入を抑制することができる。
【００３９】
加えて、光源としては、ＬＥＤ、白熱電球、蛍光ランプ、高輝度放電ランプ等の適用が可能である。さらに、照明器具としては、ダウンライトの他、非常灯などにも適用できる。
【００４０】
次に、本発明の第２の実施形態に係る照明装置について図１０を参照して説明する。図１０は、照明装置を天井面へ取付けた状態を示す正面図である。なお、第１の実施形態と同一又は相当部分には、同一符号を付し重複した説明は省略する。
【００４１】
本実施形態では、電源ユニット１０のケース本体１２の支持脚１２ｃに設置用の台座３０を設けたものである。この台座３０は、略長方形状をなし、支持脚１２ｃがねじ等によって取付けられているものである。また、この台座３０は、天井Ｃ面に適宜ねじ等の固定手段によって固定されるようになっている。なお、この台座３０の天井Ｃ面への固定は、必ずしも行う必要はない。
【００４２】
電源ユニット１０の設置にあたっては、電源ユニット１０を埋込穴Ｈから挿入し、天井Ｃ裏に配置されるが、上記のような台座３０が設けられていない場合には、電源ユニット１０が埋込穴Ｈから投げ込まれ、適正な姿勢で配置されず、例えば、カバー部材１３側が天井Ｃ面に載置され、天地が逆の姿勢で配置され、そのまま設置される場合がある。このような場合には、電源端子台１４は、何らカバーされないので、塵埃や水気が浸入する虞が生じる。
【００４３】
しかしながら、本実施形態では、台座３０が設けられているので、不適正な姿勢で配置されることが防止でき、安定して適正な姿勢で設置することが可能となり、安全性をさらに向上することができる。
【００４４】
次に、本発明の第３の実施形態に係る照明装置について図１１を参照して説明する。図１１（ａ）は、照明装置を天井面へ取付けた状態を示す正面図、図１１（ｂ）は、電線固定手段を示す説明図である。なお、第２の実施形態と同一又は相当部分には、同一符号を付し重複した説明は省略する。
【００４５】
本実施形態では、第２の実施形態における台座３０の前後に電線を挟持固定する電線固定手段３２を設けたものである。図１１（ｂ）に示すように、電線固定手段３２には、電線挟持部３２ａが形成されており、電線を上方から電線挟持部３２ａに圧入することによって、電線挟持部３２ａの両側が図示矢印方向に弾性変形し、この弾性復帰により、電線が挟持固定されるようになっている。
【００４６】
この電線固定手段３２には、電源線ＰＷ及び口出し線１６が固定されている。したがって、電源線ＰＷ及び口出し線１６に不用意な張力がかかった場合においても、電源線ＰＷが電源端子台１４から外れたり、口出し線１６が電源ユニット１０から外れたりするのを防止することができる。
【００４７】
また、ダウンライト本体１には、光源としてＬＥＤ４が用いられており、ＬＥＤ４は、その温度が上昇するに従い、光出力の低下、特性の変動とともに寿命にも影響を与える。このため、ＬＥＤ４の寿命、効率の諸特性を改善するために温度上昇を抑制する必要がある。したがって、電源ユニット１０から発生する熱がＬＥＤ４、すなわち、ダウンライト本体１に影響しないように、電源ユニット１０とダウンライト本体１との相互が近づき過ぎないように配置する必要がある。
【００４８】
本実施形態では、電線固定手段３２が設けられているので、これにより電源ユニット１０とダウンライト本体１との相互が近接するのを防止することができ、電源ユニット１０から発生する熱がＬＥＤ４に作用するのを軽減できる。
【００４９】
さらに、電線固定手段３２は、壁面状に形成されているので、電源ユニット１０から発生する熱をブロックし、防護壁としての機能をなしており、これによっても、熱がＬＥＤ４に作用するのが軽減される。なお、電線固定手段３２の壁面状の形態は、設計に応じ種々の選択が可能である。
【００５０】
次に、本発明の第４の実施形態に係る照明装置について図１２を参照して説明する。図１２は、照明装置を天井面へ取付けた状態を示す正面図である。なお、第２の実施形態と同一又は相当部分には、同一符号を付し重複した説明は省略する。
【００５１】
本実施形態では、ダウンライト本体１と電源ユニット１０とを接続する口出し線１６Ａにおいて、その電源接続線を金属製の硬質の保護パイプ１６ｐで被覆するようにしたものである。そして、この保護パイプ１６ｐは、ダウンライト本体１におけるアルミダイカスト製の筒状本体２及び電源ユニット１０における板金製のケース本体１２又はカバー部材１３と接触して接続されるようになっている。
【００５２】
したがって、保護パイプ１６ｐによってダウンライト本体１のアース接続が可能となり、口出し線１６Ａに格別にアース接続線を設けることなく接地することができる。また、保護パイプ１６ｐは硬質であるため、設置に際して、ダウンライト本体１と電源ユニット１０とを常に一定の間隔をおいて配置できる。これにより、電源ユニット１０において、ダウンライト本体１から発生する熱の影響を軽減することができ、電源ユニット１０の電気部品の短寿命化、特性の変動、故障等の発生を低減することができる。
【００５３】
また、逆に、ダウンライト本体１と電源ユニット１０とが常に一定の間隔をおいて配置されるので、上記第３の実施形態と同様に、電源ユニット１０から発生する熱がダウンライト本体１のＬＥＤ４に作用するのを軽減でき、ＬＥＤ４の寿命、効率の諸特性を改善することが可能となる。なお、保護パイプ１６ｐは、金属に限らず、導電性を有する材料で形成することが可能である。
【００５４】
なお、本発明は、上記各実施形態の構成に限定されることなく、発明の要旨を逸脱しない範囲で種々の変形が可能である。例えば、電源ユニットは、照明装置に限らず、他の電気機器にも適用可能である。
【符号の説明】
【００５５】
１・・・照明器具本体（ダウンライト本体）、４・・・光源（ＬＥＤ）、
１０・・・電源ユニット、１１・・・電源回路、１２・・・ケース本体、
１２ｂ・・・端子台取付部、１３・・・カバー部材、１４・・・電源端子台、
２１ａ、２１ｂ等・・・端子台取着用手段（貫通孔）、３０・・・設置用の台座
【図１】
2010257590.tif 000003
【図２】
2010257590.tif 000004
【図３】
2010257590.tif 000005
【図４】
2010257590.tif 000006
【図５】
2010257590.tif 000007
【図６】
2010257590.tif 000008
【図７】
2010257590.tif 000009
【図８】
2010257590.tif 000010
【図９】
2010257590.tif 000011
【図１０】
2010257590.tif 000012
【図１１】
2010257590.tif 000013
【図１２】
2010257590.tif 000014